(57)【要約】  【解決手段】  ヘッド本体、フェース板および複合材料調整体により構成される。ヘッド本体には調整切口が設けられ、調整切口は複合材料調整体を収容するのに用いられる。複合材料調整体には収容室が設けられ、収容室は少なくとも一個のヘッド部材を収容するのに用いられる。組立時において、複合材料調整体はヘッド本体の調整切口の内部に嵌入され、ヘッド部材は複合材料調整体の収容室の内部に嵌入されるように構成されている。  【効果】  ヘッド本体に調整切口を設け、調整切口に複合材料調整体を充填し結合することができ、さらに複合材料調整体に少なくとも一個のヘッド部材を収容することができるため、重心と慣性モーメントの調整を行うことができる。【選択図】    図１
2006239154.tif 000002
【特許請求の範囲】
【請求項１】
ヘッド本体（１）、フェース板（１０）および複合材料調整体（２）により構成されるゴルフクラブヘッドの複合材料の調整構造であって、ヘッド本体（１）には調整切口（１１）が設けられ、フェース板（１０）はヘッド本体（１）の正面に固設され、複合材料調整体（２）には収容室（２０）が設けられ、収容室（２０）は少なくとも一個のヘッド部材（３）を収容するのに用いられ、複合材料調整体（２）はヘッド本体（１）の調整切口（１１）の内部に嵌入され、ヘッド部材（３）は複合材料調整体（２）の収容室（２０）の内部に嵌入されることを特徴とするゴルフクラブヘッドの複合材料の調整構造。
【請求項２】
ヘッド本体（１）の調整切口（１１）には係止部（１１３）が設けられるのに対し、複合材料調整体（２）には対応するように係止部（２１）が設けられ、組立時において複合材料調整体（２）の係止部（２１）はヘッド本体（１）の調整切口（１１）の係止部（１１３）に係止するように形成されることを特徴とする請求項１記載のゴルフクラブヘッドの複合材料の調整構造。
【請求項３】
複合材料調整体（２）の係止部（２１）には少なくとも一個の案内面（２１１）が設けられ、案内面（２１）により複合材料調整体（２）の係止部（２１）をヘッド本体（１）の調整切口（１１）の係止部（１１３）に簡単に係止することができることを特徴とする請求項２記載のゴルフクラブヘッドの複合材料の調整構造。
【請求項４】
ヘッド本体（１）の調整切口（１１）には上補強板（１１４）が設けられ、上補強板（１１４）により調整切口（１１）の構造の強度を高めることができることを特徴とする請求項１記載のゴルフクラブヘッドの複合材料の調整構造。
【請求項５】
ヘッド本体（１）の調整切口（１１）には下補強板（１１４’）が設けられ、下補強板（１１４’）により調整切口（１１）の構造の強度を高めることができることを特徴とする請求項１記載のゴルフクラブヘッドの複合材料の調整構造。
【請求項６】
ヘッド本体（１）の調整切口（１１）は一対の傾斜側壁（１１１）により組成され、傾斜側壁（１１１）は縦方向において調整切口（１１）の幅が縮小するように形成されることにより、複合材料調整体（２）を強化して結合することができることを特徴とする請求項１記載のゴルフクラブヘッドの複合材料の調整構造。
【請求項７】
ヘッド本体（１）の調整切口（１１）は一対の傾斜側壁（１１１）により組成され、傾斜側壁（１１１）は縦方向において調整切口（１１）の幅が拡張するように形成されることにより、複合材料調整体（２）を簡単に組み立てることができることを特徴とする請求項１記載のゴルフクラブヘッドの複合材料の調整構造。
【請求項８】
ヘッド本体（１）の調整切口（１１）には底収容室（１１３’）が設けられ、複合材料調整体（２）には対応するように係止部（２１’）が設けられ、係止部（２１’）は調整切口（１１）の底収容室（１１３’）に係止するように形成されることを特徴とする請求項１記載のゴルフクラブヘッドの複合材料の調整構造。
【請求項９】
ヘッド本体（１）の調整切口（１１）には底収容室（１１３’）が設けられ、底収容室（１１３’）は振動吸収体（２４）を収容するのに用いられることにより、振動吸収体（２４）はヘッド本体（１）の調整切口（１１）と複合材料調整体（２）との間に挟設されることを特徴とする請求項１記載のゴルフクラブヘッドの複合材料の調整構造。
【請求項１０】
複合材料調整体（２）の収容室（２０）には少なくとも一個の側当接面（２２）が設けられ、ヘッド部材（３）が側当接面（２２）に当接した時、複合材料調整体（２）は微量に拡張変形になるように形成されることにより、複合材料調整体（２）はヘッド本体（１）の調整切口（１１）に係止するように形成されることを特徴とする請求項１記載のゴルフクラブヘッドの複合材料の調整構造。
【請求項１１】
ヘッド部材（３）には少なくとも一個の拡張部が設けられ、ヘッド部材（３）の拡張部が複合材料調整体（２）の収容室（２０）の内表面に当接した時、複合材料調整体（２）は微量に拡張変形になるように形成されることにより、複合材料調整体（２）はヘッド本体（１）の調整切口（１１）に係止するように形成されることを特徴とする請求項１記載のゴルフクラブヘッドの複合材料の調整構造。
【請求項１２】
複合材料調整体（２）にはカバー（２３）が設けられ、カバー（２３）には少なくとも一個の凹欠溝（２３２）が設けられ、カバー（２３）の凹欠溝（２３２）により複合材料調整体（２）の拡張による変形を許容することができることを特徴とする請求項１記載のゴルフクラブヘッドの複合材料の調整構造。
【請求項１３】
カバー（２３）には開口部（２３１）が設けられ、開口部（２３１）は複合材料調整体（２）の収容室（２０）に対応するように形成されることにより、ヘッド部材（３）を組み立てるのを許容することができることを特徴とする請求項１２記載のゴルフクラブヘッドの複合材料の調整構造。
【請求項１４】
ヘッド本体（１）の調整切口（１１）は上調整切口（１１’）からなることを特徴とする請求項１記載のゴルフクラブヘッドの複合材料の調整構造。
【請求項１５】
ヘッド本体（１）の上調整切口（１１’）には上補強板（１１４）と下補強板（１１４’）が含まれることにより、上補強板（１１４）と下補強板（１１４’）により共同で凹欠室が形成されることを特徴とする請求項１４記載のゴルフクラブヘッドの複合材料の調整構造。
【請求項１６】
ヘッド本体（１）はウッド型のヘッドからなることを特徴とする請求項１記載のゴルフクラブヘッドの複合材料の調整構造。
【請求項１７】
ヘッド本体（１）、複合材料調整体（２）およびカバー（２３）により構成されるゴルフクラブヘッドの複合材料の調整構造であって、ヘッド本体（１）には調整切口（１１）が設けられ、複合材料調整体（２）には収容室（２０）が設けられ、収容室（２０）は少なくとも一個のヘッド部材（３）を収容するのに用いられ、カバー（２３）は複合材料調整体（２）を被覆するように形成され、複合材料調整体（２）はヘッド本体（１）の調整切口（１１）の内部に嵌入され、ヘッド部材（３）は複合材料調整体（２）の収容室（２０）の内部に嵌入されることを特徴とするゴルフクラブヘッドの複合材料の調整構造。
【請求項１８】
ヘッド本体（１）の調整切口（１１）には係止部（１１３）が設けられるのに対し、複合材料調整体（２）には対応するように係止部（２１）が設けられ、組立時において複合材料調整体（２）の係止部（２１）はヘッド本体（１）の調整切口（１１）の係止部（１１３）に係止するように形成されることを特徴とする請求項１７記載のゴルフクラブヘッドの複合材料の調整構造。
【請求項１９】
ヘッド本体（１）の調整切口（１１）には上補強板（１１４）が設けられ、上補強板（１１４）により調整切口（１１）の構造の強度を高めることができることを特徴とする請求項１７記載のゴルフクラブヘッドの複合材料の調整構造。
【請求項２０】
ヘッド本体（１）の調整切口（１１）には下補強板（１１４’）が設けられ、下補強板（１１４’）により調整切口（１１）の構造の強度を高めることができることを特徴とする請求項１７記載のゴルフクラブヘッドの複合材料の調整構造。
【請求項２１】
ヘッド本体（１）の調整切口（１１）は一対の傾斜側壁（１１１）により組成され、傾斜側壁（１１１）は縦方向において調整切口（１１）の幅が縮小するように形成されることにより、複合材料調整体（２）を強化して結合することができることを特徴とする請求項１７記載のゴルフクラブヘッドの複合材料の調整構造。
【請求項２２】
ヘッド本体（１）の調整切口（１１）は一対の傾斜側壁（１１１）により組成され、傾斜側壁（１１１）は縦方向において調整切口（１１）の幅が拡張するように形成されることにより、複合材料調整体（２）を簡単に組み立てることができることを特徴とする請求項１７記載のゴルフクラブヘッドの複合材料の調整構造。
【請求項２３】
ヘッド本体（１）の調整切口（１１）には底収容室（１１３’）が設けられ、複合材料調整体（２）には対応するように係止部（２１’）が設けられ、係止部（２１’）は調整切口（１１）の底収容室（１１３’）に係止するように形成されることを特徴とする請求項１７記載のゴルフクラブヘッドの複合材料の調整構造。
【請求項２４】
ヘッド本体（１）の調整切口（１１）には底収容室（１１３’）が設けられ、底収容室（１１３’）は振動吸収体（２４）を収容するのに用いられることにより、振動吸収体（２４）はヘッド本体（１）の調整切口（１１）と複合材料調整体（２）との間に挟設されることを特徴とする請求項１７記載のゴルフクラブヘッドの複合材料の調整構造。
【請求項２５】
複合材料調整体（２）の収容室（２０）には少なくとも一個の側当接面（２２）が設けられ、ヘッド部材（３）が側当接面（２２）に当接した時、複合材料調整体（２）は微量に拡張変形になるように形成されることにより、複合材料調整体（２）はヘッド本体（１）の調整切口（１１）に係止するように形成されることを特徴とする請求項１７記載のゴルフクラブヘッドの複合材料の調整構造。
【請求項２６】
ヘッド本体（１）、複合材料調整体（２）およびカバー（２３）により構成されるゴルフクラブヘッドの複合材料の調整構造であって、ヘッド本体（１）には凹欠室が設けられ、複合材料調整体（２）には収容室（２０）が設けられ、収容室（２０）は少なくとも一個のヘッド部材（３）を収容するのに用いられ、カバー（２３）は複合材料調整体（２）を被覆するように形成され、複合材料調整体（２）はヘッド本体（１）の調整切口（１１）の内部に嵌入され、ヘッド部材（３）は複合材料調整体（２）の収容室（２０）の内部に嵌入されることを特徴とするゴルフクラブヘッドの複合材料の調整構造。
【請求項２７】
ヘッド本体（１）の凹欠室には係止部（１１３）が設けられるのに対し、複合材料調整体（２）には対応するように係止部（２１）が設けられ、組立時において複合材料調整体（２）の係止部（２１）はヘッド本体（１）の凹欠室の係止部（１１３）に係止するように形成されることを特徴とする請求項２６記載のゴルフクラブヘッドの複合材料の調整構造。
【請求項２８】
ヘッド本体（１）の凹欠室には底収容室（１１３’）が設けられ、複合材料調整体（２）には対応するように係止部（２１’）が設けられ、係止部（２１’）は凹欠室の底収容室（１１３’）に係止するように形成されることを特徴とする請求項２６記載のゴルフクラブヘッドの複合材料の調整構造。
【請求項２９】
ヘッド本体（１）の凹欠室には底収容室（１１３’）が設けられ、底収容室（１１３’）は振動吸収体（２４）を収容するのに用いられることにより、振動吸収体（２４）はヘッド本体（１）の凹欠室と複合材料調整体（２）との間に挟設されることを特徴とする請求項２６記載のゴルフクラブヘッドの複合材料の調整構造。
【請求項３０】
複合材料調整体（２）の収容室（２０）には少なくとも一個の側当接面（２２）が設けられ、ヘッド部材（３）が側当接面（２２）に当接した時、複合材料調整体（２）は微量に拡張変形になるように形成されることにより、複合材料調整体（２）はヘッド本体（１）の凹欠室に係止するように形成されることを特徴とする請求項２６記載のゴルフクラブヘッドの複合材料の調整構造。
【発明の詳細な説明】
【技術分野】
【０００１】
本発明は、ゴルフクラブヘッドの複合材料の調整構造に関するもので、特に複合材料調整体をヘッド本体に充填して結合させることにより、重心と慣性モーメントを調整することができるゴルフクラブヘッドの複合材料の調整構造に係るものである。
【背景技術】
【０００２】
従来のゴルフクラブヘッドの複合材料の調整構造としては、ゴルフクラブヘッドにはヘッド本体、フェース板および重りが含まれる。ヘッド本体には環状壁が形成され、さらにヘッド本体の正面はフェース板と結合し固設するのに用いられる。フェース板の両側には正表面と背表面が形成され、正表面はゴルフボールを打球するのに用いられ、背表面は重りと結合するのに用いられる。また、一般としてヘッド本体、フェース板および重りは金属により製成するようにとしたものがある（例えば、特許文献１を参照）。
【特許文献１】アメリカ特許公開番号第２００４／０２１４６５７号
【発明の開示】
【発明が解決しようとする課題】
【０００３】
上記のような従来のゴルフクラブヘッドの複合材料の調整構造においては、事実上としてヘッド本体とフェース板の材料の密度に対し、重りは相対的に比較的高い材料の密度を有するように形成されるため、上記重りは相対的に比較的小さい体積を有するように形成される。また、製造上において上記重りは比較的小さい体積の重り単元を採用しなければならず、上記重りではヘッド本体の特定空間の体積を充填することができないため、反ってヘッド本体には上記重りの体積に適合する組立の空間と位置を保留しなければならなくなる。もし、上記重りはヘッド本体の特定位置の特定空間しか充填することができない場合、上記重りの重心配置と慣性モーメントの調整には不利になるという問題点があった。その他に、一旦上記重りの体積が小さくなり過ぎると、ヘッド本体の体積も相対的に小さくなり、すなわちフェース板の断面積を相対的に縮めてしまう可能性があるため、ヘッド本体の打撃の特性に対して不利になるという問題点があった。簡単に言えば、ヘッド本体と重りとの配置をさらに調整しなければならず、そうすることによって製造上においてはヘッド本体に特定空間を設置するだけで、それに上記空間には特定な体積を有して重りまたはその他のヘッド部材を収容することができるため、ヘッド本体の重心配置と慣性モーメントの調整を高めることができる。
【０００４】
本発明はこのような問題点に鑑みて発明したものであって、その目的とするところは、ヘッド本体に調整切口を設け、調整切口に複合材料調整体を充填し結合することができ、さらに複合材料調整体に少なくとも一個のヘッド部材を収容することができ、例えば重りまたは銘板を収容することができるため、重心と慣性モーメントの調整を行うことができるゴルフクラブヘッドの複合材料の調整構造を提供しようとするものである。
【０００５】
本発明の第一の目的は、ヘッド本体に調整切口を設け、調整切口に複合材料調整体を充填し結合することができ、さらに複合材料調整体に少なくとも一個の重り部材を収容することができるため、重心と慣性モーメントの調整を行うことができるゴルフクラブヘッドの複合材料の調整構造を提供しようとするものである。
【０００６】
本発明の第二の目的は、ヘッド本体に調整切口を設け、調整切口に複合材料調整体を充填し結合することができ、さらに複合材料調整体に少なくとも一個のヘッド部材を収容することができるため、組立と配置の効果を高めることができるゴルフクラブヘッドの複合材料の調整構造を提供しようとするものである。
【課題を解決するための手段】
【０００７】
上記目的を達成するために、本発明によるゴルフクラブヘッドの複合材料の調整構造は、下記のようになるものである。すなわち、
ヘッド本体、フェース板および複合材料調整体により構成される。ヘッド本体には調整切口が設けられる。フェース板はヘッド本体の正面に固設される。複合材料調整体には収容室が設けられ、収容室は少なくとも一個のヘッド部材を収容するのに用いられる。複合材料調整体はヘッド本体の調整切口の内部に嵌入され、ヘッド部材は複合材料調整体の収容室の内部に嵌入される。
【０００８】
本発明によるゴルフクラブヘッドの複合材料の調整構造は、ヘッド本体の調整切口には係止部が設けられるのに対し、複合材料調整体には対応するように係止部が設けられ、組立時において複合材料調整体の係止部はヘッド本体の調整切口の係止部に係止するように形成されることもできる。また、複合材料調整体の係止部には少なくとも一個の案内面が設けられ、案内面により複合材料調整体の係止部をヘッド本体の調整切口の係止部に簡単に係止することもできる。また、ヘッド本体の調整切口には上補強板が設けられ、上補強板により調整切口の構造の強度を高めることもできる。また、ヘッド本体の調整切口には下補強板が設けられ、下補強板により調整切口の構造の強度を高めることもできる。また、ヘッド本体の調整切口は一対の傾斜側壁により組成され、傾斜側壁は縦方向において調整切口の幅が縮小するように形成されることにより、複合材料調整体を強化して結合することもできる。また、ヘッド本体の調整切口は一対の傾斜側壁により組成され、傾斜側壁は縦方向において調整切口の幅が拡張するように形成されることにより、複合材料調整体を簡単に組み立てることもできる。また、ヘッド本体の調整切口には底収容室が設けられ、複合材料調整体には対応するように係止部が設けられ、係止部は調整切口の底収容室に係止するように形成されることもできる。また、ヘッド本体の調整切口には底収容室が設けられ、底収容室は振動吸収体を収容するのに用いられることにより、振動吸収体はヘッド本体の調整切口と複合材料調整体との間に挟設されることもできる。また、複合材料調整体の収容室には少なくとも一個の側当接面が設けられ、ヘッド部材が側当接面に当接した時、複合材料調整体は微量に拡張変形になるように形成されることにより、複合材料調整体はヘッド本体の調整切口に係止するように形成されることもできる。また、ヘッド部材には少なくとも一個の拡張部が設けられ、ヘッド部材の拡張部が複合材料調整体の収容室の内表面に当接した時、複合材料調整体は微量に拡張変形になるように形成されることにより、複合材料調整体はヘッド本体の調整切口に係止するように形成されることもできる。また、複合材料調整体にはカバーが設けられ、カバーには少なくとも一個の凹欠溝が設けられ、カバーの凹欠溝により複合材料調整体の拡張による変形を許容することもできる。また、カバーには開口部が設けられ、開口部は複合材料調整体の収容室に対応するように形成されることにより、ヘッド部材を組み立てるのを許容することもできる。また、ヘッド本体の調整切口は上調整切口からなることもできる。また、ヘッド本体の上調整切口には上補強板と下補強板が含まれることにより、上補強板と下補強板により共同で凹欠室が形成されることもできる。また、ヘッド本体はウッド型のヘッドからなることもできる。
【０００９】
また、本発明によるゴルフクラブヘッドの複合材料の調整構造は、ヘッド本体、複合材料調整体およびカバーにより構成される。ヘッド本体には調整切口が設けられる。複合材料調整体には収容室が設けられ、収容室は少なくとも一個のヘッド部材を収容するのに用いられる。カバーは複合材料調整体を被覆するように形成される。複合材料調整体はヘッド本体の調整切口の内部に嵌入され、ヘッド部材は複合材料調整体の収容室の内部に嵌入される。
【００１０】
また、本発明によるゴルフクラブヘッドの複合材料の調整構造は、ヘッド本体の調整切口には係止部が設けられるのに対し、複合材料調整体には対応するように係止部が設けられ、組立時において複合材料調整体の係止部はヘッド本体の調整切口の係止部に係止するように形成されることもできる。また、ヘッド本体の調整切口には上補強板が設けられ、上補強板により調整切口の構造の強度を高めることもできる。また、ヘッド本体の調整切口には下補強板が設けられ、下補強板により調整切口の構造の強度を高めることもできる。また、ヘッド本体の調整切口は一対の傾斜側壁により組成され、傾斜側壁は縦方向において調整切口の幅が縮小するように形成されることにより、複合材料調整体を強化して結合することもできる。また、ヘッド本体の調整切口は一対の傾斜側壁により組成され、傾斜側壁は縦方向において調整切口の幅が拡張するように形成されることにより、複合材料調整体を簡単に組み立てることもできる。また、ヘッド本体の調整切口には底収容室が設けられ、複合材料調整体には対応するように係止部が設けられ、係止部は調整切口の底収容室に係止するように形成されることもできる。また、ヘッド本体の調整切口には底収容室が設けられ、底収容室は振動吸収体を収容するのに用いられることにより、振動吸収体はヘッド本体の調整切口と複合材料調整体との間に挟設されることもできる。また、複合材料調整体の収容室には少なくとも一個の側当接面が設けられ、ヘッド部材が側当接面に当接した時、複合材料調整体は微量に拡張変形になるように形成されることにより、複合材料調整体はヘッド本体の調整切口に係止するように形成されることもできる。
【００１１】
また、本発明によるゴルフクラブヘッドの複合材料の調整構造は、ヘッド本体、複合材料調整体およびカバーにより構成される。ヘッド本体には凹欠室が設けられる。複合材料調整体には収容室が設けられ、収容室は少なくとも一個のヘッド部材を収容するのに用いられる。カバーは複合材料調整体を被覆するように形成される。複合材料調整体はヘッド本体の調整切口の内部に嵌入され、ヘッド部材は複合材料調整体の収容室の内部に嵌入される。
【００１２】
さらに、本発明によるゴルフクラブヘッドの複合材料の調整構造は、ヘッド本体の凹欠室には係止部が設けられるのに対し、複合材料調整体には対応するように係止部が設けられ、組立時において複合材料調整体の係止部はヘッド本体の凹欠室の係止部に係止するように形成されることもできる。また、ヘッド本体の凹欠室には底収容室が設けられ、複合材料調整体には対応するように係止部が設けられ、係止部は凹欠室の底収容室に係止するように形成されることもできる。また、ヘッド本体の凹欠室には底収容室が設けられ、底収容室は振動吸収体を収容するのに用いられることにより、振動吸収体はヘッド本体の凹欠室と複合材料調整体との間に挟設されることもできる。また、複合材料調整体の収容室には少なくとも一個の側当接面が設けられ、ヘッド部材が側当接面に当接した時、複合材料調整体は微量に拡張変形になるように形成されることにより、複合材料調整体はヘッド本体の凹欠室に係止するように形成されることもできる。
【発明の効果】
【００１３】
本発明のゴルフクラブヘッドの複合材料の調整構造によれば、ヘッド本体に調整切口を設け、調整切口に複合材料調整体を充填し結合することができ、さらに複合材料調整体に少なくとも一個の重り部材を収容することができるため、重心と慣性モーメントの調整を行うことができるという利点がある。
【００１４】
本発明のゴルフクラブヘッドの複合材料の調整構造によれば、ヘッド本体に調整切口を設け、調整切口に複合材料調整体を充填し結合することができ、さらに複合材料調整体に少なくとも一個のヘッド部材を収容することができるため、組立と配置の効果を高めることができるという利点がある。
【発明を実施するための最良の形態】
【００１５】
本発明の実施の形態について、以下、図面を参照して説明する。
【実施例１】
【００１６】
図１、２を参照すると、本発明の実施例１のゴルフクラブヘッドにはヘッド本体１、フェース板１０および複合材料調整体２が含まれる。ヘッド本体１、フェース板１０および複合材料調整体２によりゴルフクラブヘッドの複合材料の調整構造を組成すると共に、複合材料調整体２によりヘッド本体１の重心と慣性モーメントを調整することができる。
【００１７】
再び図１、２を参照すると、本発明の実施例１のヘッド本体１は好ましくは金属材料により製成され、金属材料はステンレス（例えば１７−４ＰＨステンレス）、炭素鋼、低炭素鋼、合金鋼、低合金鋼、フェロ−マンガン−アルミ合金、鋳鉄、ニッケル合金、構造用鋼、超合金鋼またはチタン合金（例えば６アルミ−４バナジウムのチタン合金）などの材料から選択することができる。ヘッド本体１には環状壁（図示せず）が形成され、上記環状壁にはソール部（sole）が設けられ、さらにヘッド本体１の正面にはフェース板１０を結合し固設することができるため、フェース板１０は上記環状壁に連接するように形成される。フェース板１０の両側には正表面と背表面が形成され、上記正表面はヘッド本体１の正面に位置すると共に、ゴルフボールを打球するのに用いられ、上記背表面はヘッド本体１の環状壁の内部に位置するように形成される。
【００１８】
再び図１を参照すると、本発明の実施例１のヘッド本体１には調整切口１１が設けられ、調整切口１１はしまりばめの方式で複合材料調整体２を収容するのに用いられる。調整切口１１は好ましくはヘッド本体１の底部に位置するように形成され、それによってヘッド本体１の底部の質量を減らすことができる。また、構造上において調整切口１１は所定の規格サイズを有し、複合材料調整体２の規格サイズに対応するように形成される。
【００１９】
再び図１、２を参照すると、本発明の実施例１のヘッド本体１の調整切口１１には一対の側壁１１１、１１１が設けられ、側壁１１１、１１１は隔てるように底部１１２の両側に設けられ、一対の側壁１１１．１１１の間には一つの幅が形成される。各側壁１１１には係止部１１３が設けられると共に、好ましくは互いに対応するように設けられる。ヘッド本体１の調整切口１１の側壁１１１においても例えば係止部１１３を設置しないことを選択することができる。
【００２０】
再び図１、２を参照すると、本発明の実施例１の複合材料調整体２は弾性変形自在な材料により製成され、上記弾性変形自在な材料は樹脂（例えばエポキシ樹脂）、高分子化合材料、ゴム、熱塑性弾性体材料およびＰＵ弾性材料などから選択することができる。複合材料調整体２には収容室２０が設けられ、収容室２０は少なくとも一個のヘッド部材３を収容するのに用いられる。複合材料調整体２の外表面には係止部２１が設けられ、係止部２１はヘッド本体１の調整切口１１の係止部１１３に対応して係止することができる。その他に、複合材料調整体２の係止部２１には少なくとも一個の案内面２１１が設けられることにより、ヘッド本体１の調整切口１１から複合材料調整体２を簡単に組み立てたり、または取り外したりすることができる。
【００２１】
再び図１、２を参照すると、本発明の実施例１のヘッド部材３は重り、抵抗体、装飾カバーなどから選択することができる。ヘッド部材３には拡張部が形成され、上記拡張部は複合材料調整体２の収容室２０の内表面を当接するのに用いられるため、複合材料調整体２には適当に弾性による拡張変形が生じる。ヘッド部材３には第一幅Ｗ１と第二幅Ｗ２が形成され、第一幅Ｗ１は第二幅Ｗ２より大きくなるように形成されることにより、第一幅Ｗ１が複合材料調整体２の収容室２０に進入した時、複合材料調整体２の外周面には弾性による拡張変形が生じ始める。それに反して、ヘッド部材３が複合材料調整体２の収容室２０から離脱した時、複合材料調整体２の外周面は正常に戻るように形成される。
【００２２】
図３、４、５を参照すると、組立時において、先ず複合材料調整体２をヘッド本体１の調整切口１１の内部に置き入れ、それからヘッド部材３を複合材料調整体２の収容室２０に滑り込む。正常に使用する時、複合材料調整体２はヘッド本体１の調整切口１１から離脱することがない。この時、複合材料調整体２はヘッド本体１の底部に充填して結合されることにより、ゴルフクラブヘッドが組成される。
【００２３】
図５を参照すると、複合材料調整体２がヘッド本体１の調整切口１１から脱落するのを避けるべく、複合材料調整体２の係止部２１はさらに調整切口１１の係止部１１３に対応して係止するように形成されることにより、複合材料調整体２とヘッド本体１の調整切口１１との間のしまりばめ方式による係止を強化することができる。
【００２４】
再び図１、５を参照すると、ヘッド部材３の第一幅Ｗ１は複合材料調整体２の収容室２０に進入するため、複合材料調整体２には弾性による拡張変形が生じる。複合材料調整体２に弾性による拡張変形が生じた時、複合材料調整体２の係止部２１はさらに外へ突出するように形成されるため、複合材料調整体２の係止部２１は調整切口１１の係止部１１３の内部に緊密に係止することができる。その他に、複合材料調整体２の係止部２１の案内面２１１は調整切口１１の係止部１１３の内部に簡単に案内して滑り込むことができるため、複合材料調整体２をヘッド本体１の調整切口１１に簡単に組み立てることができる。
【００２５】
再び図３、４、５を参照すると、複合材料調整体２またはヘッド部材３を取り外して取り換えようとする時、先ずヘッド部材３を複合材料調整体２の収容室２０から取り外し、ヘッド部材３を一旦複合材料調整体２の収容室２０から離脱させると、複合材料調整体２をヘッド本体１の調整切口１１から押し離すことができる。複合材料調整体２の係止部２１が調整切口１１の係止部１１３から一旦離脱すると、複合材料調整体２はヘッド本体１の調整切口１１から滑り出すことができるため、複合材料調整体２を取り替えることができる。
【実施例２】
【００２６】
図６、７、８を参照すると、本発明の実施例２のゴルフクラブヘッドの複合材料の調整構造は実施例１の構造に対応して設置され、本発明における各実施例の間の差異を分かり易くするため、部材の同じ部分は同じ符合を採用して標示される。実施例２における部分的な技術内容は前述した実施例１の説明内容に掲示されているため、ここでは参考にして再び詳細に説明しない。
【００２７】
再び図６、７を参照すると、実施例１と比較すると、実施例２においてヘッド本体１の調整切口１１の上周縁には上補強板１１４が設けられ、上補強板１１４は一対の側壁１１１、１１１の間に連接して延伸するように形成されることにより、調整切口１１の構造の強度を強化することができる。一対の側壁１１１、１１１、底部１１２と上補強板１１４は共同で調整切口１１を形成する。実施例２における複合材料調整体２の収容室２０には少なくとも一個の側当接面２２が設けられ、ヘッド部材３が側当接面２２を当接した時、複合材料調整体２は微量に拡張変形になることができるため、複合材料調整体２はヘッド本体１の調整切口１１に係止するように形成される。
【００２８】
再び図８を参照すると、実施例１と比較すると、実施例２において一対の側壁１１１、１１１は一対の傾斜側壁からなると共に、特定の傾斜度（二本の点線に示す如く）を有するように形成され、上記傾斜側壁は縦方向において調整切口１１の幅が縮小するように形成されることにより、複合材料調整体２を強化して結合することができる。
【実施例３】
【００２９】
図９、１０、１１を参照すると、本発明の実施例３のゴルフクラブヘッドの複合材料の調整構造は実施例２の構造に対応して設置され、本発明における各実施例の間の差異を分かり易くするため、部材の同じ部分は同じ符合を採用して標示される。実施例３における部分的な技術内容は前述した実施例２の説明内容に掲示されているため、ここでは参考にして再び詳細に説明しない。
【００３０】
再び図９、１０を参照すると、実施例２と比較すると、実施例３においてヘッド本体１の調整切口１１の底周縁には下補強板１１４’が設けられ、下補強板１１４’は一対の側壁１１１、１１１の間に連接して延伸するように形成されることにより、調整切口１１の構造の強度を強化することができる。一対の側壁１１１、１１１、底部１１２と下補強板１１４’は共同で調整切口１１を形成する。実施例３における複合材料調整体２の収容室２０には側当接面２２が設けられていない。
【００３１】
再び図１１を参照すると、実施例２と比較すると、実施例３において一対の側壁１１１、１１１は他に特定の傾斜度（二本の点線に示す如く）を有するように形成され、側壁１１１、１１１は縦方向において調整切口１１の幅が拡張するように形成されることにより、複合材料調整体２を簡単に組み立てたり、または取り外したりすることができる。
【実施例４】
【００３２】
図１２、１３を参照すると、本発明の実施例４のゴルフクラブヘッドの複合材料の調整構造は実施例１の構造に対応して設置され、本発明における各実施例の間の差異を分かり易くするため、部材の同じ部分は同じ符合を採用して標示される。実施例４における部分的な技術内容は前述した実施例１の説明内容に掲示されているため、ここでは参考にして再び詳細に説明しない。
【００３３】
再び図１２、１３を参照すると、実施例１と比較すると、実施例４においてヘッド本体１の調整切口１１の底部１１２には底収容室１１３’が設けられる。それに対して、実施例４における複合材料調整体２には係止部２１’が設けられ、係止部２１’は調整切口１１の底収容室１１３’を係止するように形成されることにより、複合材料調整体２の係止する強度を高めることができる。
【実施例５】
【００３４】
図１４を参照すると、本発明の実施例５のゴルフクラブヘッドの複合材料の調整構造は実施例４の構造に対応して設置され、本発明における各実施例の間の差異を分かり易くするため、部材の同じ部分は同じ符合を採用して標示される。実施例５における部分的な技術内容は前述した実施例４の説明内容に掲示されているため、ここでは参考にして再び詳細に説明しない。
【００３５】
再び図１４を参照すると、実施例４と比較すると、実施例５においてヘッド本体１の調整切口１１の底収容室１１３’は振動吸収体２４を収容するのに用いられることにより、振動吸収体２４はヘッド本体１の調整切口１１と複合材料調整体２との間に挟設される。振動吸収体２４は異なる比重の金属から選択することができ、例えばアルミ合金、マグネシウム合金、チタン合金、銅合金、ステンレス、タングステン合金、ニッケル合金など、または非金属樹脂（例えばエポキシ樹脂）、高分子化合材料、ゴム、熱塑性弾性体材料およびＰＵ弾性材料などから選択することができる。上述した材料の組合せにより必要とする自然の周波数を調整することができる。実施例５における複合材料調整体２にはカバー２３が設けられ、カバー２３には開口部２３１と一対の凹欠溝２３２が設けられる。カバー２３は略複合材料調整体２を被覆するように形成され、カバー２３の開口部２３１は複合材料調整体２の収容室２０に対応するように形成されることにより、ヘッド部材３を組み立てるのを許容することができる。カバー２３の凹欠溝２３２は両側に位置するように形成される。カバー２３が複合材料調整体２に嵌設された時、複合材料調整体２の係止部２１はカバー２３の凹欠溝２３２の内部に位置するように形成されることにより、複合材料調整体２が側面への拡張変形を許容することができ、すなわち複合材料調整体２の垂直方向への拡張変形を制限することができる。
【実施例６】
【００３６】
図１５を参照すると、本発明の実施例６のゴルフクラブヘッドの複合材料の調整構造は実施例４の構造に対応して設置され、本発明における各実施例の間の差異を分かり易くするため、部材の同じ部分は同じ符合を採用して標示される。実施例６における部分的な技術内容は前述した実施例４の説明内容に掲示されているため、ここでは参考にして再び詳細に説明しない。
【００３７】
再び図１５を参照すると、実施例４と比較すると、実施例６においてヘッド本体１の上周縁には上調整切口１１’が設けられ、複合材料調整体２は上調整切口１１’の内部に係止されることにより、複合材料調整体２はヘッド本体１の上周縁に置き入れられるため、ヘッド本体１の質量を調整することができる。上調整切口１１’には上補強板１１４と下補強板１１４’が含まれることにより、上補強板１１４と下補強板１１４’は共同で凹欠室を形成する。上調整切口１１’にも一対の側壁１１１、１１１、底部１１２と係止部１１３が含まれる。それに対して、複合材料調整体２には係止部２１が形成されることにより、調整切口１１’の係止部１１３を係止することができる。
【実施例７】
【００３８】
図１６を参照すると、本発明の実施例７のゴルフクラブヘッドの複合材料の調整構造は実施例４の構造に対応して設置され、本発明における各実施例の間の差異を分かり易くするため、部材の同じ部分は同じ符合を採用して標示される。実施例７における部分的な技術内容は前述した実施例６の説明内容に掲示されているため、ここでは参考にして再び詳細に説明しない。
【００３９】
再び図１６を参照すると、実施例４と比較すると、実施例７においてヘッド本体１’はウッド型のヘッドからなる。ヘッド本体１’の調整切口１１にも一対の側壁１１１、１１１、底部１１２、係止部１１３と底収容室１１３’が含まれる。それに対して、複合材料調整体２には係止部２１、２１’が含まれることにより、調整切口１１の係止部１１３と底収容室１１３’を係止することができる。
【産業上の利用可能性】
【００４０】
上述の如く、従来のゴルフクラブヘッドの複合材料の調整構造によれば、重りはヘッド本体の特定位置の特定空間しか充填することができないため、重りの重心配置と慣性モーメントの調整には不利になるという問題点があったが、図１に示す本発明のゴルフクラブヘッドの複合材料の調整構造によれば、ヘッド本体に調整切口を設け、調整切口に複合材料調整体を充填し結合することができ、さらに複合材料調整体に少なくとも一個のヘッド部材を収容することができるため、重心と慣性モーメントの調整を行うことができる。
【００４１】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００４２】
【図１】本発明の実施例１のゴルフクラブヘッドの複合材料の調整構造を示す分解斜視図である。
【図２】本発明の実施例１のゴルフクラブヘッドの複合材料の調整構造を示す分解断面図である。
【図３】本発明の実施例１のゴルフクラブヘッドの複合材料の調整構造による組み立てられた状態を示す斜視透視図である。
【図４】本発明の実施例１のゴルフクラブヘッドの複合材料の調整構造による組み立てられた状態を示す断面図である。
【図５】図４のＡ−Ａ線に沿った断面図である。
【図６】本発明の実施例２のゴルフクラブヘッドの複合材料の調整構造を示す分解斜視図である。
【図７】本発明の実施例２のゴルフクラブヘッドの複合材料の調整構造による組み立てられた状態を示す断面図である。
【図８】本発明の実施例２のゴルフクラブヘッドの複合材料の調整構造による組み立てられた状態を示す別の断面図である。
【図９】本発明の実施例３のゴルフクラブヘッドの複合材料の調整構造を示す分解斜視図である。
【図１０】本発明の実施例３のゴルフクラブヘッドの複合材料の調整構造による組み立てられた状態を示す断面図である。
【図１１】本発明の実施例３のゴルフクラブヘッドの複合材料の調整構造による組み立てられた状態を示す別の断面図である。
【図１２】本発明の実施例４のゴルフクラブヘッドの複合材料の調整構造を示す分解斜視図である。
【図１３】本発明の実施例４のゴルフクラブヘッドの複合材料の調整構造による組み立てられた状態を示す断面図である。
【図１４】本発明の実施例５のゴルフクラブヘッドの複合材料の調整構造を示す分解斜視図である。
【図１５】本発明の実施例６のゴルフクラブヘッドの複合材料の調整構造を示す分解斜視図である。
【図１６】本発明の実施例７のゴルフクラブヘッドの複合材料の調整構造を示す分解斜視図である。
【符号の説明】
【００４３】
１    ヘッド本体                        １’    ヘッド本体
１０    フェース板                      １１    調整切口
１１’    上調整切口                  １１１    側壁
１１２    底部                          １１３    係止部
１１３’    底収容室                    １１４    上補強板
１１４’    下補強板                        ２    複合材料調整体
２０    収容室                          ２１    係止部
２１’    係止部                      ２１１    案内面
２２    側当接面                        ２３    カバー
２３１    開口部                        ２３２    凹欠溝
２４    振動吸収体                        ３    ヘッド部材
Ｗ１    第一幅                          Ｗ２    第二幅
【図１】
2006239154.tif 000003
【図２】
2006239154.tif 000004
【図３】
2006239154.tif 000005
【図４】
2006239154.tif 000006
【図５】
2006239154.tif 000007
【図６】
2006239154.tif 000008
【図７】
2006239154.tif 000009
【図８】
2006239154.tif 000010
【図９】
2006239154.tif 000011
【図１０】
2006239154.tif 000012
【図１１】
2006239154.tif 000013
【図１２】
2006239154.tif 000014
【図１３】
2006239154.tif 000015
【図１４】
2006239154.tif 000016
【図１５】
2006239154.tif 000017
【図１６】
2006239154.tif 000018